【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
コーティングプログラムが決定したように基板に液体コーティング材料を塗布するためのシステムであって、
液体コーティング材料が入ったリザーバと、
前記リザーバから前記液体コーティング材料を受け取るように構成されると共に前記基板の部品又は領域上に前記液体コーティング材料を供給するように構成されたアプリケータと、
前記アプリケータへ流れる前記液体コーティング材料の量を示す容積信号を生成するように構成されたメータと、
前記アプリケータと機械的に結合され、該アプリケータを前記基板に対して動かすように構成されたロボットと、
前記コーティングプログラムにアクセスするように構成され、また前記ロボットと前記アプリケータとを制御するように構成されて、前記コーティングプログラム内の情報に従って前記液体コーティング材料を前記基板に塗布し、前記コーティングプログラムの終了時に、前記メータから出される１又はそれ以上の容積信号を利用して、前記コーティングプログラムの実行中に前記基板に塗布された前記液体コーティング材料の供給量を求めるように構成され、前記液体コーティング材料の前記供給量を前記コーティングプログラムにとっての望ましい供給量と比較すると共に前記供給量と前記望ましい供給量との間の差を示す誤差信号を生成するように構成され、該誤差信号に基づいて、後続する基板上の前記液体コーティング材料の前記供給量と前記望ましい供給量との間の差を低減させるように構成された制御システムと、
を含むことを特徴とするシステム。
【請求項２】
前記制御システムは、前記誤差信号に応じて内部制御ウィンドウ及び外部制御ウィンドウを実装するように構成される、
ことを特徴とする請求項１に記載のシステム。
【請求項３】
前記制御システムは、前記誤差信号が前記内部制御ウィンドウの内部に存在する場合、何のアクションも起こさないように構成される、
ことを特徴とする請求項２に記載のシステム。
【請求項４】
前記制御システムは、前記誤差信号が前記外部制御ウィンドウの外部にある場合、アラームを発するように構成される、
ことを特徴とする請求項２に記載のシステム。
【請求項５】
前記制御システムは、前記誤差信号が前記外部制御ウィンドウの外部にある場合、システムを停止するように構成される、
ことを特徴とする請求項２に記載のシステム。
【請求項６】
前記リザーバから前記アプリケータへの前記液体コーティング材料の流れを調整するように構成され、前記制御システムと電気的に結合された調整器をさらに備え、前記制御システムは、前記調整器を操作して前記流れを修正し、前記後続する基板上の前記液体コーティング材料の前記供給量を変更するように構成される、
ことを特徴とする請求項１に記載のシステム。
【請求項７】
前記アプリケータにより供給される前記液体コーティング材料の前記温度を調整するように構成され、前記制御システムと電気的に結合された加熱器をさらに備え、前記制御システムは、前記加熱器を操作して、前記後続する基板上の前記液体コーティング材料の前記供給量を変更するように構成される、
ことを特徴とする請求項１に記載のシステム。
【請求項８】
前記制御システムは、前記ロボットが前記アプリケータを前記基板に対して動かす速度を調節して、前記後続する基板上の前記液体コーティング材料の前記供給量を変更するように構成される、
ことを特徴とする請求項１に記載のシステム。
【手続補正２】
【補正対象書類名】明細書
【補正対象項目名】００４０
【補正方法】変更
【補正の内容】
【００４０】
尚、本発明は、下記の構成によっても実現することができる。
（１）  コーティングプログラムが決定したように基板に液体コーティング材料を塗布する方法であって、
前記コーティングプログラムの指示通りにアプリケータから前記基板に前記液体コーティング材料を供給するステップと、
前記液体コーティング材料が供給される間、前記アプリケータを前記基板に対して動かすステップと、
前記基板に塗布された前記液体コーティング材料の供給量を求めるステップと、
前記液体コーティング材料の前記供給量を前記コーティングプログラムにとっての望ましい供給量と比較するステップと、
前記供給量と前記望ましい供給量との間の差を示す誤差信号を生成するステップと、
前記誤差信号に基づいて、後続する基板に塗布される前記液体コーティング材料の前記供給量を変更するステップと、を含むことを特徴とする方法。
（２）  前記液体コーティング材料の前記供給量を変更するステップは、前記液体コーティング材料の前記アプリケータへの流れを調整器で調整するステップをさらに含む、ことを特徴とする上記（１）に記載の方法。
（３）  前記供給量を求めるステップは、
前記アプリケータへ流れる前記液体コーティング材料の量を示す容積信号を生成するステップと、
前記容積信号の少なくとも１つに基づいて前記供給量を求めるステップと、をさらに含むことを特徴とする上記（１）に記載の方法。
（４）  前記供給量を求め、該供給量を前記望ましい供給量と比較し、及び前記誤差信号を生成するコントローラに前記容積信号を通信するステップと、
前記後続する基板上の前記液体コーティング材料の前記供給量を変更するための調整器に制御信号を通信するステップと、をさらに含むことを特徴とする上記（１）に記載の方法。
（５）  前記液体コーティング材料の前記供給量を変更するステップは、
前記供給量を変更するための内部制御ウィンドウを実装するステップと、
前記誤差信号が前記内部制御ウィンドウの内部にある場合、何のアクションも起こさないステップと、をさらに含むことを特徴とする上記（１）に記載の方法。
（６）  前記液体コーティング材料の前記供給量を変更するステップは、
前記供給量を変更するための外部制御ウィンドウを実装するステップと、
前記誤差信号が前記外部制御ウィンドウの外部にある場合、アラームを発するステップと、をさらに含むことを特徴とする上記（１）に記載の方法。
（７）  前記液体コーティング材料の前記供給量を変更するステップは、
前記供給量を変更するための前記外部制御ウィンドウを実装するステップと、
前記誤差信号が前記外部制御ウィンドウの外部にある場合、液体材料の前記アプリケータへの前記流れを停止するステップと、をさらに含むことを特徴とする上記（１）に記載の方法。
（８）  前記液体コーティング材料の前記供給量を変更するステップは、
前記液体コーティング材料を別の基板上に供給する場合、前記誤差信号に基づいて前記液体コーティング材料の温度を調節するステップをさらに含む、ことを特徴とする上記（１）に記載の方法。
（９）  前記液体コーティング材料の前記供給量を変更するステップは、
前記液体コーティング材料を別の基板上に供給する場合、前記アプリケータが前記基板に対して動く速度を調節するステップをさらに含む、ことを特徴とする上記（１）に記載の方法。
１又はそれ以上の実施形態の説明により本発明を示し、これらの実施形態についてかなり詳細に説明してきたが、これらの実施形態は、添付の特許請求の範囲をこのような詳細事項に制限したり、或いは何らかの形で限定したりすることを意図するものではない。当業者であれば、追加の利点及び修正を容易に見てとれるであろう。従って、本発明は、その広い態様において図示及び説明した特定の詳細事項、代表的な装置及び方法、並びに例示的な実施例に限定されるものではない。このため、出願者の全体的な発明概念の範囲又は思想から逸脱することなく、このような詳細事項から逸脱することができる。